(57)【要約】【課題】所定の雰囲気、印象、感情などを、所定の程度有する画像を検索する。【解決手段】画像再生装置は、複数の色情報と、各色情報を有する画像の雰囲気をそれぞれ表す複数の感情的特徴とを対応付けて記憶する記憶手段と、複数の感情的特徴の少なくとも一つと、当該感情的特徴の程度とを選択する選択手段と、複数の画像中の色情報を検出する検出手段と、選択手段により選択された感情的特徴に対応する色情報が複数の画像の各々に含まれる程度を、検出手段の検出結果に基づき判定するレベル判定手段と、レベル判定手段の判定結果に基づいて、複数の画像のうち、選択手段によって選択された感情的特徴の程度に対応する画像を表示する表示手段と、を備える。【選択図】図５
2014175733.tif 000002
【特許請求の範囲】
【請求項１】
複数の色情報と、各色情報を有する画像の雰囲気をそれぞれ表す複数の感情的特徴とを対応付けて記憶する記憶手段と、
前記複数の感情的特徴の少なくとも一つと、当該感情的特徴の程度とを選択する選択手段と、
複数の画像それぞれに含まれる色情報を検出する検出手段と、
前記選択手段により選択された前記感情的特徴に対応する色情報が前記複数の画像の各々に含まれる程度を、前記検出手段の検出結果に基づき判定するレベル判定手段と、
前記レベル判定手段の判定結果に基づいて、前記複数の画像のうち、前記選択手段によって選択された前記感情的特徴の程度に対応する画像を表示する表示手段と、
を備えることを特徴とする画像再生装置。
【請求項２】
請求項１に記載の画像再生装置において、
前記表示手段は、前記選択手段により選択された前記感情的特徴の程度に関する数値軸を有し、前記複数の画像の各々に対して前記レベル判定手段が判定した結果が表示されたグラフをさらに表示することを特徴とする画像再生装置。
【請求項３】
請求項１または２に記載の画像再生装置において、
前記複数の画像の各々を代表する色情報を、前記複数の画像の各々から決定する代表色決定手段と、
前記記憶手段に記憶されている前記複数の感情的特徴から、前記複数の画像の各々の中から前記代表色決定手段により決定された色情報に対応付けられている感情的特徴を決定する雰囲気決定手段と、
をさらに備え、
前記表示手段は、前記複数の画像のうち、前記雰囲気決定手段により決定された感情的特徴が所定の感情的特徴である画像の数をさらに表示することを特徴とする画像再生装置。
【請求項４】
複数の色情報と各色情報を有する画像の雰囲気をそれぞれ表す複数の感情的特徴とを対応付けて記憶する記憶手段と、前記複数の感情的特徴の少なくとも一つと当該感情的特徴の程度とを選択する選択手段と、画像を表示する表示手段と、を備えた画像再生装置に適用される画像再生プログラムであって、
複数の画像それぞれに含まれる色情報を検出させ、
前記選択手段により選択された前記感情的特徴に対応する色情報が前記複数の画像の各々に含まれる程度を、前記検出の結果に基づき判定させ、
前記判定の結果に基づいて、前記複数の画像のうち、前記選択手段によって選択された前記感情的特徴の程度に対応する画像を、前記表示手段に表示させるように前記画像再生装置を動作させることを特徴とする画像再生プログラム。
【発明の詳細な説明】
【技術分野】
【０００１】
本発明は画像再生装置および画像再生プログラムに関する。
【背景技術】
【０００２】
画像に感情的特徴の特徴量を付与しておき、その特徴量に基づいて未整理の画像データセットをグループ化する技術が知られている（特許文献１）。
【先行技術文献】
【特許文献】
【０００３】
【特許文献１】特開２０１１−１５４６８７号公報
【発明の概要】
【発明が解決しようとする課題】
【０００４】
所定の雰囲気、印象、感情などを有する画像を検索する技術が望まれている。特許文献１に記載の技術では、所定の感情的特徴を有する画像を検索することができるが、画像で表現されているその雰囲気、印象、感情などの程度を知ることができない。
【課題を解決するための手段】
【０００５】
本発明の第１の態様による画像再生装置は、複数の色情報と、各色情報を有する画像の雰囲気をそれぞれ表す複数の感情的特徴とを対応付けて記憶する記憶手段と、複数の感情的特徴の少なくとも一つと、当該感情的特徴の程度とを選択する選択手段と、複数の画像中の色情報を検出する検出手段と、選択手段により選択された感情的特徴に対応する色情報が複数の画像の各々に含まれる程度を、検出手段の検出結果に基づき判定するレベル判定手段と、レベル判定手段の判定結果に基づいて、複数の画像のうち、選択手段によって選択された感情的特徴の程度に対応する画像を表示する表示手段と、を備えることを特徴とする。
【０００６】
本発明の第２の態様による画像再生プログラムは、複数の色情報と各色情報を有する画像の雰囲気をそれぞれ表す複数の感情的特徴とを対応付けて記憶する記憶手段と、複数の感情的特徴の少なくとも一つと当該感情的特徴の程度とを選択する選択手段と、画像を表示する表示手段と、を備えた画像再生装置に適用される画像再生プログラムであって、
複数の画像それぞれに含まれる色情報を検出させ、選択手段により選択された感情的特徴に対応する色情報が複数の画像の各々に含まれる程度を、検出の結果に基づき判定させ、判定の結果に基づいて、複数の画像のうち、選択手段によって選択された感情的特徴の程度に対応する画像を、表示手段に表示させるように画像再生装置を動作させることを特徴とする。
【発明の効果】
【０００７】
本発明による画像再生装置および画像再生プログラムを用いることにより、ユーザは、所定の雰囲気、印象、感情などを、所定の程度有する画像を検索することができる。
【図面の簡単な説明】
【０００８】
【図１】本発明の一実施の形態による画像再生装置の構成例を示すブロック図である。
【図２】雰囲気データベースに含まれるデータのフォーマット例を示す図である。
【図３】本発明の一実施の形態による撮像装置の制御部の機能ブロック図である。
【図４】画像データに含まれるメタデータの一例を示す図である。
【図５】画像選択画面の一例を示す図である。
【図６】画像選択画面を表示するための動作を示すフローチャートである。
【図７】適合度決定部の処理に関するフローチャートである。
【図８】表示制御部が表示する画面の一例を示す図である。
【発明を実施するための形態】
【０００９】
図１は、本発明の一実施の形態による画像再生装置の構成例を示すブロック図である。図１には、画像再生装置の一例として、デジタルカメラ１００が例示されている。デジタルカメラ１００は、撮影レンズ１０と、撮像部１１と、制御部１２と、記憶部１３と、表示用モニターを備えた表示部１４と、操作部材１５と、インタフェース部１６と、ＧＰＳモジュール１８とを備える。
【００１０】
デジタルカメラ１００は、ポートレート、風景、夕焼けなど複数のシーンモードを有する。ポートレートモードは、人物の撮影に適したシーンモードである。風景モードは、風景の撮影に適したシーンモードである。夕焼けモードは、夕焼けや朝焼けにより赤みを帯びた被写体を撮影するのに適したシーンモードである。
【００１１】
撮影レンズ１０は、撮像素子１１ａの撮像面上に被写体像を結像させる。撮像部１１は、被写体像を撮像してＲＧＢ表色系のデジタル画像信号を制御部１２へ出力する。なお、図１では、撮影レンズ１０は、図を簡単にするため単レンズとして図示されているが、実際には不図示のフォーカシングレンズ、ズームレンズなど複数の光学系で構成される。
【００１２】
制御部１２は、例えばＣＰＵと画像処理部とを含み、記憶部１３に記憶されているプログラムを実行することにより、デジタルカメラ１００の各部を制御する。制御部１２により実行される各処理については詳細を後述する。
【００１３】
記憶部１３は、バッファメモリ１３ａなどの揮発性の記録媒体と、フラッシュメモリ１３ｂやＲＯＭ（不図示）などの不揮発性の記録媒体とを含む。バッファメモリ１３ａには、撮像部１１から出力されたデジタル画像信号と、制御部１２により画像処理中の各種画像データが一時的に格納される。フラッシュメモリ１３ｂには、詳細を後述する雰囲気データベース１３０が記憶されている。フラッシュメモリ１３ｂやＲＯＭ（不図示）などの不揮発性の記録媒体には、制御部１２が実行するプログラムと、地図データとが記憶されている。
【００１４】
表示部１４は、ＬＣＤなどの表示用モニターを備え、デジタルカメラ１００の背面などに設けられる。表示部１４は、制御部１２の制御のもと入力された画像データに基づいて、メニュー画面や画像再生画面を表示する。
【００１５】
操作部材１５は、例えばレリーズ釦の半押し操作に応じてオンする半押しスイッチと全押し操作に応じてオンする全押しスイッチとを含むレリーズ操作用のレリーズスイッチ１５ａ、各種選択操作に用いる十字スイッチ１５ｂなどの入力装置である。十字スイッチ１５ｂは、複数のスイッチの集合体であって、例えば上下左右方向をそれぞれ司るスイッチと、決定スイッチとを有する。操作部材１５は、各入力装置による操作信号を制御部１２へ送信する。
【００１６】
インタフェース部１６は、デジタルカメラ１００に着脱可能に装着されるメモリカード１７などの外部記録媒体への画像データの記録し、メモリカード１７などからの画像データの読み出しを行うためのインタフェースである。
ＧＰＳモジュール１８は、ＧＰＳ衛星から送信される信号に基づいて、デジタルカメラ１００が存在する場所を検出し、その場所に関する情報を制御部１２に出力する。
【００１７】
図２は、雰囲気データベース１３０に記憶されているデータ（データテーブル）の一例である。雰囲気データベース１３０には、図２に示されるように、画像データ中の色相と彩度と明度のそれぞれの範囲を含む色情報と、シーンモードと、雰囲気キーワードとによって構成されるｎ個の雰囲気データＤ１〜Ｄｎが含まれる。雰囲気データＤ１〜Ｄｎの各々は、色およびシーンモードと、色が醸し出す雰囲気、色が見た人に与える印象、または色により表現もしくは連想される感情との関係をそれぞれ定義したデータである。以降では、色が醸し出す雰囲気、色が見た人に与える印象、色により表現または連想される感情のことを総称して雰囲気と記載する。
【００１８】
雰囲気データＤ１〜Ｄｎでは、雰囲気をもたらす色の範囲を、ＨＳＶ色空間内に定めている。すなわち、雰囲気データＤ１〜Ｄｎでは、雰囲気をもたらす色の範囲がその色相（Ｈ）と彩度（Ｓ）と明度（Ｖ）の範囲で定義されている。雰囲気データＤ１〜Ｄｎを構成する各シーンモードは、デジタルカメラ１００で利用することができるシーンモード、すなわちポートレート、風景、夕焼けなどのいずれかである。
【００１９】
雰囲気キーワードは、雰囲気や感情的特徴を表現した文字列型のデータである。図２では、「爽快な」、「さわやかな」、「澄んだ」といった形容動詞が雰囲気キーワードとして例示されている。
図２のＤ１，Ｄ２から明らかように、同じ色相と彩度と明度の範囲の色であっても、シーンモードに応じて適用される雰囲気キーワードは異なるようにデータテーブル上で予め設定されている（風景モードなら「爽快な」だが、ポートレートモードなら「さわやかな」がデータテーブルに予め設定されている）。
また図２のＤ１、Ｄ３から明らかなように、同じシーンモード（風景モード）であっても、雰囲気のもたらす色（色相（Ｈ）と彩度（Ｓ）と明度（Ｖ）の範囲で定義される色）が異なれば、適用される雰囲気キーワードが異なるようにデータテーブル上で予め設定されている（「爽快な」と「澄んだ」が予め設定されている）。
【００２０】
不図示ではあるが、上記した以外にも、雰囲気のもたらす色と、シーンモードと、雰囲気キーワードとの関係データとして、次のようなデータも雰囲気データベース１３０は含んでいる。例えば、色が緑色で且つシーンモードが風景モードである場合の雰囲気キーワードには、「ここちよい」が雰囲気データベース１３０に設定されている。また色がマリンブルーで且つシーンモードが風景モードである場合の雰囲気キーワードには、「きれいな」が雰囲気データベース１３０に設定されている。
【００２１】
なお、雰囲気キーワードは、形容動詞だけに限定されず、例えば「爽快」などのような名詞、「ここちよい」のような形容詞、「とても爽快な」、「少しここちよい」のような副詞を伴う形容動詞または形容詞などであってもよい。なお、雰囲気キーワードに対して、その雰囲気キーワードが示す情態の「程度」を示すワードを伴って雰囲気キーワードを決定しても良い。例えば、副詞を伴う雰囲気キーワードを用いる場合、雰囲気をもたらす色の彩度に基づいて副詞の有無や付加する副詞を決定することにすればよい。一例として、彩度が高い雰囲気データから順に「とても爽快な」、「爽快な」、「少し爽快な」のように、爽快さの程度（度合い）を示す言葉（「とても」や「少し」等）を伴って雰囲気キーワードを設定しておけばよい。なお図２では、雰囲気データＤ１の雰囲気キーワードは「爽快な」（ノーマルな爽快さを示す表現）に設定されており、雰囲気データＤ２の雰囲気キーワードは「さわやかな」（ノーマルなさわやかさを示す表現）に設定されている。
【００２２】
図３は、制御部１２の機能ブロック図である。制御部１２は、記憶部１３に記憶されているプログラムを実行することにより、画像処理部１２０と、シーン判定部１２１と、代表色決定部１２２と、雰囲気決定部１２３と、画素検出部１２４と、レベル判定部１２５と、表示制御部１２６として機能する。
【００２３】
画像処理部１２０は、デジタル画像信号に対して種々の画像処理を行う。例えば、画像処理部１２０は、撮像部１１から入力されたデジタル画像信号に対して、ホワイトバランス処理、ガンマ補正処理、色補間処理などを行い、画像データを生成する。画像処理部１２０が生成する画像データは、例えばＥＸＩＦ形式など、種々のメタデータを付加することができる画像形式のデータである。また、画像処理部１２０は、色空間変換処理を行い、その画像信号の色空間をＲＧＢ色空間からＨＳＶ色空間へ変換する。
【００２４】
シーン判定部１２１は、撮像部１１が出力したデジタル画像信号（画像処理部１２０から出力された画像データ）またはメモリカード１７に記録された画像データ等に基づいて、それらの画像に対応するシーンモードを自動的に判定（判断）する。
【００２５】
代表色決定部１２２は、シーン判定部１２１により判定されたシーンモードに基づいて、画像処理部１２０によりＨＳＶ色空間に変換された画像信号の中から、その画像信号に含まれる被写体像を代表する代表色を決定する。例えば、代表色決定部１２２は、入力された画像に含まれるシーンモードに対応する被写体画像の中で、最も広い面積（画素数）を占める色を代表色として決定する。代表色決定部１２２は、決定した代表色の色情報、すなわち代表色の色相と彩度と明度とに関する情報を出力する。
【００２６】
雰囲気決定部１２３は、シーン判定部１２１により判定されたシーンモードと、代表色決定部１２２により出力された代表色の色相と彩度と明度とに関する情報とに基づいて、雰囲気データベース１３０を検索して、当該画像に対応する雰囲気キーワードを決定する。
【００２７】
画素検出部１２４は、メモリカード１７に記憶された画像データの各々の中から（或いは画像処理部１２０から出力された画像データの各々の中から）、所定の雰囲気に対応する所定の色情報を有する画素を検出する。具体的には、画素検出部１２４は、色相、彩度、明度のそれぞれが雰囲気データベース１３０に所定の雰囲気キーワード（雰囲気、感情的特徴）に対応付けられている色相、彩度、明度の範囲にある画素を検出する。例えば、画素検出部１２４は、色相がＨ１〜Ｈ２の範囲内、彩度がＳ１〜Ｓ２の範囲内、明度がＶ１〜Ｖ２の範囲内にある画素を検出する。
【００２８】
レベル判定部１２５は、画素検出部１２４により画像データから検出された画素の個数に基づいて、所定の雰囲気キーワード（雰囲気、感情的特徴）に対応する色情報がその画像データに含まれる程度を判定する。換言すると、レベル判定部１２５は、画像が有する所定の雰囲気の程度を判定する。レベル判定部１２５は、所定の雰囲気キーワード（雰囲気、感情的特徴）に対応する色情報がその画像データに含まれる程度を、例えば０〜１０レベルで表す。
【００２９】
表示制御部１２６は、後述する画像選択画面を生成し、表示部１４に画像選択画面を表示させる。ユーザは、表示制御部１２６が表示する画像選択画面を用いて、所望の雰囲気（感情的特徴）の程度に対応する画像を検索する。
【００３０】
図４は、デジタルカメラ１００がメモリカード１７に記録する画像データのデータフォーマットの一例を示す図である。図４に例示された画像データ５００は、メタデータのデータ領域５０１を有し、雰囲気（感情的特徴）に関するデータ５１１と、撮影日時に関するデータ５１２と、撮影場所に関するデータ５１３とがメタデータとして含まれている。雰囲気に関するデータ５１１は、雰囲気決定部１２３により決定された雰囲気キーワードに関する情報である。撮影場所に関するデータ５１３は、ＧＰＳモジュール１８から取得される。
【００３１】
図５は、画像選択画面の表示例を示す図である。図５に例示した画像選択画面２０は、メモリカード１７に記録された画像データの中から所望の画像を検索するための画面であって、グラフ表示領域２１と画像表示領域２２と地図表示領域２３とを有する。
【００３２】
グラフ表示領域２１には、メモリカード１７に記録されている画像データの各々に関する情報がプロットされた折れ線グラフが表示される。グラフ表示領域２１に表示された折れ線グラフは、横軸が画像の記録日時を表し、縦軸が雰囲気「爽快な」についてレベル判定部１２５が判定した結果を表す。なお、折れ線グラフの縦軸でレベルを示す雰囲気は、ユーザが操作部材１５を用いて選択することができる。
【００３３】
グラフ表示領域２１において、メモリカード１７に記録されている各画像データは、黒丸または丸囲み数字マークでそれぞれ表されている。グラフの縦軸が表す雰囲気について、所定レベルの程度を有する画像データは丸囲み数字マークで表され、それ以外は黒丸で表される。丸囲み数字マークが示す数字は、各画像データを識別可能とするために互いに異なった値となっている。
【００３４】
グラフ表示領域２１には、基準線２５が２本表示されている。基準線２５は、グラフの縦軸が表す雰囲気についてユーザが所望したレベル（程度）をそれぞれ表している。ユーザは、画像の検索を行うとき、操作部材１５を用いて、基準線２５を少なくとも一つ設定する。なお、ユーザは、操作部材１５を用いた各種操作により、新規に基準線２５をグラフ表示領域２１に追加したり、グラフ表示領域２１から基準線２５を削除したり、基準線２５を上下に移動させたりすることができる。
【００３５】
画像表示領域２２は、グラフ表示領域２１に丸囲み数字マークで表示された画像データについて、各丸囲みマークを伴ってサムネイル画像が表示される。画像表示領域２２は、基準線２５が示すレベルごとに区分けされている。画像表示領域２２の上側の領域には、雰囲気「爽快な」について７レベルの画像データに関するサムネイル画像がそれぞれ表示されている。同様に、画像表示領域２２の下側の領域には、雰囲気「爽快な」について１０レベルの画像データに関するサムネイル画像がそれぞれ表示されている。ユーザがグラフ表示領域２１に表示されている折れ線グラフの縦軸でレベルを示す雰囲気を変えた場合や、ユーザが基準線２５を上下に移動させた場合、画像表示領域２２の表示もそれらの変化に合わせて変化する。
【００３６】
地図表示領域２３は、グラフ表示領域２１に丸囲み数字マークで表示された画像データについて、画像データの撮影場所に関する情報が地図上に表示される。地図は、フラッシュメモリ１３ｂ等に記憶された地図データに基づいて表示される。
【００３７】
図６は、画像選択画面２０を表示するための動作に関するフローチャートである。
ステップＳ２００では、制御部１２は、インタフェース部１６を介してメモリカード１７から画像データを読み出す。
ステップＳ２０１では、制御部１２は、グラフ表示領域２１の折れ線グラフの縦軸においてレベルを示す雰囲気をユーザに選択させる。ユーザは、操作部材１５を用いた所定の操作により、所望の雰囲気を選択する。
ステップＳ２０２では、制御部１２は、ユーザに基準線２５を表示するレベルを選択させる。ユーザは、操作部材１５を用いた所定の操作により、所望のレベルを選択する。
【００３８】
ステップＳ２０３では、制御部１２は、レベル判定部１２５を用いて、ステップＳ２００で読み出した各画像データについて、ステップＳ２０１で選択した雰囲気に対するレベルを判定する。
ステップＳ２０４では、制御部１２は、ステップＳ２０３で判定したレベルに基づいて、ステップＳ２００で読み出した画像データの中から、ステップＳ２０２で選択したレベルに対応する画像データを抽出する。
【００３９】
ステップＳ２０５では、制御部１２は、表示制御部１２６を用いて、画像選択画面２０を生成して、表示部１４に表示する。例えば、ステップＳ２００で読み出した画像データのメタデータに含まれる撮影日時に関するデータ５１２とステップＳ２０３で判定したレベルに関する情報とに基づいてグラフ表示領域２１に表示する折れ線グラフを生成して、ステップＳ２０４で抽出した画像データに基づいて画像表示領域２２に表示するサムネイル画像を生成して、ステップＳ２０４で抽出した画像データのメタデータに含まれる撮像場所に関するデータ５１３と地図データに基づいて地図表示領域２３に表示する画像を生成する。
【００４０】
ユーザは、こうして表示された画像選択画面２０を見ることにより、所望の雰囲気（感情的特徴）を所望の程度有する画像データの検索結果を確認することができる。ユーザは、検索の結果得られた画像データのいずれかを選択して、画像を再生することができる。
【００４１】
図７は、図６のステップＳ２０３の処理で用いられるレベル判定部１２５の処理に関するフローチャートである。ステップＳ３０１では、制御部１２は、図６のステップＳ２０１で選択された雰囲気を雰囲気キーワードとする雰囲気データを雰囲気データベース１３０から検索して、その雰囲気データに含まれる色相の範囲、彩度の範囲、明度の範囲に関する情報を取得する。
【００４２】
ステップＳ３０２では、制御部１２は、画素検出部１２４を用いて、図６のステップＳ２００で読み出された各画像データの各々の中から、ステップＳ３０１で取得した色相の範囲、彩度の範囲、明度の範囲に含まれる色情報を有する画素を検出する。
【００４３】
ステップＳ３０３では、制御部１２は、ステップＳ３０２で検出した画素の数を、各画像データごとに算出して、その画素数に基づいて、レベルを判定する。例えば、制御部１２は、算出した画素数ｍ１と画像データの総画素数ｍ２との割合ｍ＝ｍ１／ｍ２を算出して、その割合ｍが０のときは０レベル、０＜ｍ≦０．１のときは１レベル、０．１＜ｍ≦０．２のときは２レベル、・・・、０．９＜ｍ≦１のとき１０レベルといったように判定することにすればよい。
【００４４】
以上で説明した実施の形態によれば、以下の作用効果が得られる。
デジタルカメラ１００は、フラッシュメモリ１３ｂと制御部１２とを備える。フラッシュメモリ１３ｂには、複数の色情報と、各色情報を有する画像の雰囲気をそれぞれ表す複数の感情的特徴（雰囲気キーワード）とを対応付けた雰囲気データベース１３０が記憶されている。制御部１２は、操作部材１５を用いた手動選択操作を受けつけて、複数の感情的特徴の少なくとも一つと、当該感情的特徴の程度とを選択する（図５のステップＳ２０１およびステップＳ２０２）。また、制御部１２は、メモリカード１７から読み出した複数の画像中の色情報をそれぞれ検出して（画素検出部１２４、図６のステップＳ３０２）、ステップＳ２０１で選択された感情的特徴に対応する色情報（色相、彩度、明度）が複数の画像の各々に含まれる程度（画素数）を判定する（図６のステップＳ３０３）。制御部１２は、レベル判定部１２５の判定結果に基づいて、複数の画像データのうち、ステップＳ２０２で選択された感情的特徴の程度に対応する画像を画像表示領域２２に表示する。このような構成を有することにより、デジタルカメラ１００は、所定の雰囲気、印象、感情などを、所定の程度有する画像を検索することができる。また、デジタルカメラ１００では、基準線２５を複数設定して、画像表示領域２２に複数種類の適合度の画像をそれぞれ表示することができる。ユーザは、これら複数種類のレベルの画像を比較検討して、所定の雰囲気を有する画像を撮影するための構図について学ぶことができる。
【００４５】
以上で説明した実施形態は、以下のように変形して実施できる。
〔変形例１〕  上記の実施の形態では、画像再生装置の一例としてデジタルカメラ１００を用いて説明を行ったが、本発明の適用範囲はデジタルカメラ１００だけに限定されない。表示用モニターおよびその表示用モニターに画像を再生表示する機能と、上述した動作（図６，７に示すフローチャートの動作）を実行させるプログラムを記憶する記憶部と、そのプログラムに従って動作制御する制御部とを有する電子機器であれば、本発明を適用することができる。例えば、本発明は、上述したような画像再生プログラム（図６，７）がインストールされたパーソナルコンピュータにも適用することができる。
【００４６】
〔変形例２〕  表示制御部１２６が生成する画像選択画面２０は、図５に例示した形式の画面だけに限定しない。例えば、画像選択画面２０を以下のように変更してもよい。
（１）  地図表示領域２３を表示しないことにしてもよい。
（２）  グラフ表示領域２１と画像表示領域２２と地図表示領域２３とは、同時に表示部１４に表示しなくてもよい。例えば、所定の操作部材１５を用いて、グラフ表示領域２１と画像表示領域２２と地図表示領域２３とを順番に切り替えることにしてもよい。グラフ表示領域２１または地図表示領域２３を表示部１４に表示させているときは、ステップＳ２０３で判定されたレベルがステップＳ２０２で選択されたレベルと一致するサムネイル画像をさらに表示することにしてもよい。
（３）  グラフ表示領域２１に複数の雰囲気に関する複数の折れ線グラフをそれぞれ表示することにしてもよい。このとき、複数の折れ線グラフを重ねて表示することにしてもよく、基準線２５をそれらの折れ線グラフで共用することにしてもよい。
（４）  グラフ表示領域２１に折れ線グラフ以外のグラフを表示することにしてもよい。例えば、横軸が画像を識別するための情報であり、縦軸が所定の雰囲気についてレベル判定部１２５が判定したレベルである棒グラフを表示することにしてもよい。
【００４７】
〔変形例３〕  表示制御部１２６が表示部１４に表示する画像は、画像選択画面２０だけに限定されない。例えば、図８のような雰囲気分布画面３０を表示することにしてもよい。雰囲気分布画面３０には、メモリカード１７に記憶されている各雰囲気の画像データの個数を表すレーダーチャート３１が含まれる。レーダーチャート３１の周囲には、各雰囲気の適合度が最も高い画像が表示されている。
【００４８】
〔変形例４〕  制御部１２は、ステップＳ２０１で選択された雰囲気（感情的特徴）に対して反対の雰囲気（感情的特徴）についても、レベル判定部１２５を用いて、ステップＳ２００で読み出された各画像データに対してレベルを判定させてもよい。そして、制御部１２は、各画像データに対してステップＳ２０３で判定されたレベルに対して、反対の雰囲気（感情的特徴）に対するレベルを減ずる補正を行うことにしてもよい。反対の雰囲気とは、例えば「爽快な」に対しては「憂鬱な」、「きれいな」に対しては「汚い」、「楽しい」に対しては「苦しい」、「明るい」に対しては「暗い」である。また、制御部１２はｍ、シーン判定部１２１によりポートレートモードが選択されているとき、ステップＳ２０１で選択された雰囲気（感情的特徴）と、顔認識（表情認識）により判断された人物の表情に基づいてレベル補正を行うことにしてもよい。例えば、雰囲気（感情的特徴）として「さわやかな」が選択されているとき、人物の表情が笑顔の場合はレベルを増加させ、人物が目をつむっている場合はレベルを減少させる補正を行ってもよい。
【００４９】
〔変形例５〕  上記実施形態では、図６，７にて説明したように画像再生の際に、レベル判定部１２５による各画像のレベル判定を行っている。しかしながら撮像動作の際に、バッファメモリ１３ａに一時保存（メモリカード１７に画像記録する前）された画像に対して、上述したレベル判定部１２５がベル判定動作（図７で既述した動作）を行うようにしても良い。この場合において、そのレベル判定結果は、撮影した（レベル判定した）画像と共に、その画像に付随するメタデータとしてメモリカード１７に記録するようにしておけば、画像再生時にはそのメタデータに基づく検索処理を行うことで、上記実施形態で述べたのと同様な検索処理を行うことができる。
【００５０】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５１】
１２  制御部
１３  記憶部
１４  表示部
１５  操作部材
１６  インタフェース部
１７  メモリカード
２０  画像選択画面
２１  グラフ表示領域
２２  画像表示領域
２３  地図表示領域
２５  基準線
３０  雰囲気分布画面
１００  デジタルカメラ
１２０  画像処理部
１２１  シーン判定部
１２２  代表色決定部
１２３  雰囲気決定部
１２４  画素検出部
１２５  レベル判定部
１２６  表示制御部
１３０  雰囲気データベース
【図１】
2014175733.tif 000003
【図２】
2014175733.tif 000004
【図３】
2014175733.tif 000005
【図４】
2014175733.tif 000006
【図５】
2014175733.tif 000007
【図６】
2014175733.tif 000008
【図７】
2014175733.tif 000009
【図８】
2014175733.tif 000010